(57)【要約】【課題】印刷物の欠陥検査において、複数の欠陥検出信号に対し、欠陥を検出した検査装置の判別が可能なパターンを、ラベルにマーキングし印刷物に貼付、あるいは印刷物にマーキングするマーキング制御装置を提供する。【解決手段】複数の欠陥検出信号から、マーキング装置に対してラベルの貼付動作を行わせるマーキング貼付信号と、前記マーキング貼付信号と対応して印刷物欠陥装置を識別させるマーキング識別信号と、を生成する制御信号生成部と、前記マーキング貼付信号及びマーキング識別信号に応じて生成したマーキング装置に対して印字動作を行わせるマーキング印字信号に基づいて、欠陥を検出した印刷物欠陥検査装置の判別が可能なパターンを、ラベルにマーキングし印刷物に貼付、あるいは印刷物にマーキングするマーキング装置と、を備えたことを特徴とするマーキング制御装置。【選択図】図７
2012066443.tif 000002
【特許請求の範囲】
【請求項１】
複数の印刷物欠陥検査装置によって得られた欠陥検出信号に応じて印刷物にマーキングを行うマーキング制御装置であって、
前記複数の欠陥検出信号から、マーキング装置に対してラベルの貼付動作を行わせるマーキング貼付信号と、前記マーキング貼付信号と対応して印刷物欠陥装置を識別させるマーキング識別信号と、を生成する制御信号生成部と、
前記マーキング貼付信号及びマーキング識別信号に応じて生成したマーキング装置に対して印字動作を行わせるマーキング印字信号に基づいて、欠陥を検出した印刷物欠陥検査装置の判別が可能なパターンを、ラベルにマーキングし印刷物に貼付、あるいは印刷物にマーキングするマーキング装置と、を備えたことを特徴とするマーキング制御装置。
【発明の詳細な説明】
【技術分野】
【０００１】
本発明は印刷物を自動検査し、欠陥を検出した場合のマーキング装置の制御に関するもので、更に詳細にはウェブ状の印刷物上に、パターンを貼付または印字するマーキング制御装置に関する。
【背景技術】
【０００２】
印刷物の欠陥検査において、欠陥が検出された場合、後から確認できるために欠陥がある場所にマーキング装置（ラベラー、インクジェットプリンタ、等）によるマーキングが行われる。マーキングする方法としては、特許文献１のようなものが公知である。その方法とは、欠陥検出信号が入力されてから、一定の距離を待機してから、マーキング装置にマーキング信号を出力し、一定距離待機に対する確認手段は、印刷周期信号をカウントするカウンタとライントリガ信号をカウントするカウンタを用いて行い、両方のカウント値が所定のカウント値になったらマーキング信号を出力する方法である。
【０００３】
しかしながら、このような方法では、検査箇所が複数ある場合、例えば、印刷物の表と裏、どちら側から欠陥検出信号が発生したかを区別することができない。
【先行技術文献】
【特許文献】
【０００４】
【特許文献１】特開２００２−３５７５５５号公報
【発明の概要】
【発明が解決しようとする課題】
【０００５】
本発明は、このような状況に鑑みてなされたものであり、印刷物の欠陥検査において、複数の欠陥検出信号に対し、欠陥を検出した検査装置の判別が可能なパターンを、ラベルにマーキングし印刷物に貼付、あるいは印刷物にマーキングするマーキング制御装置を提供することを目的とする。
【課題を解決するための手段】
【０００６】
上記の目的を達成するために本発明の請求項１においては、複数の印刷物欠陥検査装置によって得られた欠陥検出信号に応じて印刷物にマーキングを行うマーキング制御装置であって、
前記複数の欠陥検出信号から、マーキング装置に対してラベルの貼付動作を行わせるマーキング貼付信号と、前記マーキング貼付信号と対応して印刷物欠陥装置を識別させるマーキング識別信号と、を生成する制御信号生成部と、
前記マーキング貼付信号及びマーキング識別信号に応じて生成したマーキング装置に対して印字動作を行わせるマーキング印字信号に基づいて、欠陥を検出した印刷物欠陥検査装置の判別が可能なパターンを、ラベルにマーキングし印刷物に貼付、あるいは印刷物にマーキングするマーキング装置と、を備えたことを特徴とするマーキング制御装置である。
【発明の効果】
【０００７】
本発明のマーキング制御装置によれば、印刷物の欠陥検査において、マーキング結果を確認することによって、欠陥を検出した印刷物検査装置を判別することが可能となる。
【図面の簡単な説明】
【０００８】
【図１】欠陥検出信号２系統に対するマーキング貼付信号を制御する制御信号生成部とマーキング装置を示す図。
【図２】２系統の欠陥検出信号からマーキング貼付信号及びマーキング識別信号を生成する際のタイミングチャート。
【図３】欠陥検出信号４系統に対するマーキング貼付信号を制御する制御信号生成部とマーキング装置を示す図。
【図４】４系統の欠陥検出信号からマーキング貼付信号及びマーキング識別信号を生成する際のタイミングチャート。
【図５】２系統のマーキング貼付信号及びマーキング識別信号からマーキング印字信号を生成する際のタイミングチャート。
【図６】４系統のマーキング貼付信号及びマーキング識別信号からマーキング印字信号を生成する際のタイミングチャート。
【図７】４系統の欠陥検出信号に対する印字内容の説明図。
【発明を実施するための形態】
【０００９】
以下、欠陥検出信号１０及び１１に対するマーキング貼付信号４２及びマーキング印字信号４３の制御方法を図面に基づき詳細に説明する。図１は、本発明に係るマーキング制御装置の概略構成を示す図で、マーキング制御装置は制御信号生成部１及びマーキング装置２を備えている。なお、ここでは、印刷物欠陥検査装置を２台とし，欠陥検出信号を２系統出力することを例示しているが、マーキング識別信号４１のｂｉｔ幅を増やすことにより、３台、３系統以上の場合も、同様に制御可能である。
【００１０】
制御信号生成部１は、マーキング貼付信号及びマーキング識別信号生成回路３０を備え、マーキング装置２は、マーキング印字信号生成回路３１、マーキング貼付動作回路３２、マーキング印字動作回路３３を備えている。
【００１１】
マーキング装置２が印刷物欠陥検査装置の判別が可能なパターンを、ラベルにマーキングし印刷物に貼付する場合を例として、制御信号生成部１及びマーキング装置２を説明する。
【００１２】
複数の欠陥検出信号から、マーキング貼付信号及びマーキング識別信号を生成する制御信号生成部に備えられたマーキング貼付信号及びマーキング識別信号生成回路３０においては、上位から入力される２つの欠陥検出信号１０及び１１によって、マーキング貼付信号４０及びマーキング識別信号４１を生成する。マーキング貼付信号４０とは、マーキング装置に対し、ラベルの貼付動作を行わせるための信号である。マーキング識別信号４１とは、マーキング装置に対し、マーキング貼付信号４０と対応している印刷物欠陥装置をか識別させるための信号である。
【００１３】
まず、マーキング貼付信号及びマーキング識別信号生成回路３０に、欠陥検出信号１０及び１１が入力された場合に、前記欠陥検出信号１０及び１１を合成し、マーキング貼付信号４０を生成する。例えば、マーキング識別信号４１が０のときは、マーキング貼付信号４０が、欠陥検出信号１０に対応しており、マーキング識別信号４１が１のときは、マーキング貼付信号４０が、欠陥検出信号１１に対応しているとする。
【００１４】
即ち表１に示すように、欠陥検出信号１０が０、欠陥検出信号１１が１とすると、マーキング識別信号４１は１となる。欠陥検出信号１０が１、欠陥検出信号１１が０とすると、マーキング識別信号４１は０となる。以上のことから、マーキング貼付信号４０とマーキング識別信号４１は、図２のように生成される。
【００１５】
【表１】
2012066443.tif 000003
【００１６】
なお、印刷物欠陥検査装置が４台、欠陥検出信号を１０、１１、１２、１３の４系統ある場合を図３に示す。図３の場合には、まず、上位からマーキング貼付信号及びマーキング識別信号生成回路３０に欠陥検出信号１０、１１、１２、１３が入力され、前記欠陥検出信号１０、１１、１２、１３を合成し、マーキング貼付信号４０を生成する。例えば、マーキング識別信号４１が００のときは、マーキング貼付信号４０が、欠陥検出信号１０に対応しており、マーキング識別信号４１が０１のときは、マーキング貼付信号４０が、欠陥検出信号１１に対応しており、マーキング識別信号４１が１０のときは、マーキング貼付信号４０が、欠陥検出信号１２に対応しており、マーキング識別信号４１が１１のときは、マーキング貼付信号４０が、欠陥検出信号１３に対応しているとする。
【００１７】
即ち表２に示すように、欠陥検出信号１０が１、欠陥検出信号１１が０、欠陥検出信号１２が０、欠陥検出信号１３が０とすると、マーキング識別信号４１は００、欠陥検出信号１０が０、欠陥検出信号１１が１、欠陥検出信号１２が０、欠陥検出信号１３が０とすると、マーキング識別信号４１は０１、欠陥検出信号１０が０、欠陥検出信号１１が０、欠陥検出信号１２が１、欠陥検出信号１３が０とすると、マーキング識別信号４１は１０、欠陥検出信号１０が０、欠陥検出信号１１が０、欠陥検出信号１２が０、欠陥検出信号１３が１とすると、マーキング識別信号４１は１１となる。以上を図４のタイミングチャートに示す。
【００１８】
【表２】
2012066443.tif 000004
【００１９】
同様に、印刷物欠陥検査装置がＮ台、欠陥検出信号がＮ系統ある場合は、マーキング識別信号を２のＮ乗ｂｉｔ分用意すれば、印刷物欠陥検査装置が多数ある場合でも対応可能である。
【００２０】
次に、マーキング印字信号生成回路３１においては、マーキング貼付信号４０及びマーキング識別信号４１によって、マーキング印字信号４３を生成する。尚、マーキング印字信号生成回路３１から出力されるマーキング貼付信号４２は、入力されるマーキング貼付信号４０と同じ貼付信号である。マーキング印字信号４３は、欠陥検出信号と同じ数分、必要になる。つまり、この場合は、マーキング印字信号４３は２ｂｉｔ必要となる。前記例において、マーキング識別信号４１が０であれば、欠陥出力信号１０に対応しており、マーキング識別信号４１が１であれば、欠陥出力信号１１に対応しているとした。
【００２１】
即ち表３に示すように、マーキング貼付信号４０が１の際に、マーキング識別信号４１が０であれば、マーキング印字信号４３は０１（この場合０が上位、１が下位）として生成し、マーキング貼付信号４０が１の際に、マーキング識別信号４１が１であれば、マーキング印字信号４３は１０として生成する。以上を図５のタイミングチャートに示す。
【００２２】
【表３】
2012066443.tif 000005
【００２３】
なお、印刷物欠陥検査装置が４台、欠陥検出信号を１０、１１、１２、１３の４系統ある場合は、以下のようになる。マーキング印字信号生成回路３１において、マーキング貼付信号４０及びマーキング識別信号４１によって、マーキング印字信号４３を生成する。マーキング印字信号４３は、欠陥検出信号と同じ数分必要なため、４ｂｉｔ必要となる。前記例において、マーキング識別信号４１が００であれば、欠陥出力信号１０に対応しており、マーキング識別信号４１が０１であれば、欠陥出力信号１１に対応しており、マーキング識別信号４１が１０であれば、欠陥出力信号１２に対応しており、マーキング識別信号４１が１１であれば、欠陥出力信号１３に対応しているとした。
【００２４】
即ち表４に示すように、マーキング貼付信号４０が１の際に、マーキング識別信号４１
が００であれば、欠陥出力信号１０側の結果として、マーキング印字信号４３は０００１として生成し、マーキング貼付信号４０が１の際に、マーキング識別信号４１が０１であれば、欠陥出力信号１１側の結果として、マーキング印字信号４３は００１０として生成し、マーキング貼付信号４０が１の際に、マーキング識別信号４１が１０であれば、欠陥出力信号１２側の結果として、マーキング印字信号４３は０１００として生成し、マーキング貼付信号４０が１の際に、マーキング識別信号４１が１１であれば、欠陥出力信号１３側の結果として、マーキング印字信号４３は１０００として生成する。以上を図６のタイミングチャートに示す。
【００２５】
【表４】
2012066443.tif 000006
【００２６】
また、マーキング印字信号４３とは、マーキング装置に対し、印字動作を行わせるための信号である。印字する内容は、何ビット目に１があるかにより、変更する必要がある。例えば、印刷物欠陥検査装置５０、５１、５２、５３が、検査対象６０の表側に２台、裏側に２台設置されているとする。前記印刷物欠陥検査装置５０、５１、５２、５３から出力される欠陥出力信号を順番に、１０、１１、１２、１３と割り振られているとする。表側をＦ（Ｆｒｏｎｔ）、裏側をＢ（Ｂａｃｋ）とすると、前記欠陥検出信号１０、１１、１２、１３に対応する印字内容７０は、それぞれ、Ｆ１、Ｆ２、Ｂ１、Ｂ２となる。図７に、印字内容７０の説明図を示す。なお、印字内容７０は、図７の例ではＦ１、Ｆ２、Ｂ１、Ｂ２のパターンとしたが、欠陥を検出した印刷物欠陥検査装置を区別できるパターンであれば、これに限定されるものではない。
【００２７】
上記ではＦ１、Ｆ２、Ｂ１、Ｂ２のパターンはマーキング装置内で貼付ラベルに印字され、印刷物に該ラベルが貼付される例を示したが、印刷物に直接Ｆ１、Ｆ２、Ｂ１、Ｂ２のパターンをマーキングするマーキング装置であっても良い。
【００２８】
上記マーキング装置は、印刷物検査装置が設置されている場所から離れた下流に設置されており、欠陥を検出した印刷物検査装置を判別するパターン（例示では、Ｆ１、Ｆ２、Ｂ１、Ｂ２）を貼付ラベルに印字し、印刷物に該ラベルを貼付したり、あるいは印刷物に直接、パターンをマーキングする。
【００２９】
なお、マーキング装置は上記した装置に限定されるものではなく、Ｆ１、Ｆ２、Ｂ１、Ｂ２といったパターンを印字するのではなく、これに替わるものとして、４色のラベルを用意したマーキング装置であっても良い。
【００３０】
以上のように本発明によるマーキング制御装置によれば、入力された複数の欠陥検出信号に対し、マーキング貼付信号４２及びマーキング印字信号４３を生成し、それに応じて、マーキング装置を印字及び貼付動作させ、マーキング結果を確認することで、欠陥を検出した印刷物欠陥検査装置を判別することが可能となる。その結果、印刷物欠陥検査装置の検出感度の調整が容易になるため、誤作動のない正常な欠陥の検査が出来る。
【符号の説明】
【００３１】
１…制御信号生成部
２…マーキング装置
１０…制御信号生成部に入力される欠陥検出信号
１１…制御信号生成部に入力される欠陥検出信号
１２…制御信号生成部に入力される欠陥検出信号
１３…制御信号生成部に入力される欠陥検出信号
３０…マーキング貼付信号及びマーキング識別信号生成回路
３１…マーキング印字信号生成回路
３２…マーキング貼付動作回路
３３…マーキング印字動作回路
４０…マーキング貼付信号
４１…マーキング識別信号
４２…マーキング貼付信号
４３…マーキング印字信号
５０…印刷物欠陥検査装置
５１…印刷物欠陥検査装置
５２…印刷物欠陥検査装置
５３…印刷物欠陥検査装置
６０…検査対象
７０…印字内容
【図１】
2012066443.tif 000007
【図２】
2012066443.tif 000008
【図３】
2012066443.tif 000009
【図４】
2012066443.tif 000010
【図５】
2012066443.tif 000011
【図６】
2012066443.tif 000012
【図７】
2012066443.tif 000013